(57)【要約】【課題】レンズホルダを容易に回転させることができ、また、レンズなどを傷付けることがない撮像装置及び携帯電子機器を提供する。【解決手段】撮像装置は、被写体の光学像を撮像素子１に集光させるレンズ３と、該レンズ３を収容し、かつ、被写体側の天面の中央部に透光部を有するキャップ状のレンズホルダ４と、そのレンズホルダ４と係合し該レンズホルダ４を回転させることにより光軸方向に移動可能にしたアウタホルダ５と、前記レンズホルダ４の前記天面を露出させる開口部を設け、かつ、前記レンズホルダ４及び前記アウタホルダ５を包囲するカバーとを備えている。レンズホルダ４の前記天面４ａには、前記レンズホルダ４を回転させるための保持部としての凹部４ｃが複数設けられ、かつ、少なくとも前記保持部が前記カバーの開口部から露出するとともに前記カバーの開口部よりも奥側にある前記撮像素子１側に配置されている。【選択図】図１
2011232588.tif 000002
【特許請求の範囲】
【請求項１】
被写体の光学像を撮像素子に集光させるレンズと、該レンズを収容し、かつ、被写体側の天面の中央部に透光部を有するキャップ状のレンズホルダと、そのレンズホルダと係合し該レンズホルダを回転させることにより光軸方向に移動可能にしたアウタホルダと、前記レンズホルダの前記天面を露出させる開口部を設け、かつ、前記レンズホルダ及び前記アウタホルダを包囲するカバーとが備えられた撮像装置であって、
前記レンズホルダの前記天面には、前記レンズホルダを回転させるための保持部としての凹部及び／又は凸部が複数設けられ、かつ、少なくとも前記保持部が前記カバーの開口部から露出するとともに前記カバーの開口部よりも奥側にある前記撮像素子側に配置されていることを特徴とする撮像装置。
【請求項２】
被写体の光学像を撮像素子に集光させるレンズと、該レンズを収容し、かつ、被写体側の天面の中央部に透光部を有するキャップ状のレンズホルダと、そのレンズホルダと係合し該レンズホルダを回転させることにより光軸方向に移動可能にしたアウタホルダと、前記レンズホルダの前記天面を露出させる開口部を設け、かつ、前記レンズホルダ及び前記アウタホルダを包囲するカバーと、前記アウタホルダとカバーとの間に配置される筒状のフレームと、該フレームの先端部に固定され、前記アウタホルダを弾性的に支持する支持部材と、前記レンズホルダ及びアウタホルダを前記フレームに対して光軸方向に進退させるアクチュエータとが備えられた撮像装置であって、
前記レンズホルダの前記天面には、前記レンズホルダを回転させるための保持部としての凹部及び／又は凸部が複数設けられ、かつ、少なくとも前記保持部が前記カバーの開口部から露出するとともに前記カバーの開口部よりも奥側にある前記撮像素子側に配置されていることを特徴とする撮像装置。
【請求項３】
前記レンズホルダの外周に雄ネジが形成され、前記アウタホルダの内周に前記レンズホルダの雄ネジと螺合する雌ネジが形成され、前記複数の凹部及び／又は凸部を円に結んだラインの外径がレンズホルダの雄ネジの谷径及び前記カバーの開口部の内径よりも小さいことを特徴とする請求項１又は請求項２に記載の撮像装置。
【請求項４】
前記レンズホルダと前記アウタホルダとが接着又は溶着により固着されていることを特徴とする請求項３に記載の撮像装置。
【請求項５】
前記レンズホルダの天面に、回転工具を保持する保持手段が設けられていることを特徴とする請求項１又は請求項２に記載の撮像装置。
【請求項６】
前記カバーの被写体側に、回転工具を保持する保持手段が設けられていることを特徴とする請求項１又は請求項２に記載の撮像装置。
【請求項７】
前記保持手段は、前記カバーの開口部であることを特徴とする請求項６に記載の撮像装置。
【請求項８】
前記カバーは、前記レンズホルダの天面を露出させるように内向きに突出した鍔部が設けられたものであり、前記保持手段は、前記カバーの鍔部に同心状に設けられた凹部及び／又は凸部であることを特徴とする請求項６に記載の撮像装置。
【請求項９】
前記アクチュエータは、通電によって熱収縮する形状記憶合金であることを特徴とする請求項２ないし請求項８のいずれか一項に記載の撮像装置。
【請求項１０】
請求項１ないし請求項９のいずれか一項に記載の撮像装置が備えられていることを特徴とする携帯電子機器。
【発明の詳細な説明】
【技術分野】
【０００１】
本発明は、１枚又は複数枚のレンズから入射した被写体の光学像を画像信号として検出する撮像素子などを備えている撮像装置及びこの撮像装置を備えたデジタルスチルカメラやカメラ機能付の携帯電話機のような携帯電子機器に関する。
【背景技術】
【０００２】
デジタルスチルカメラやカメラ機能付の携帯電話機のような携帯電子機器に備えられる撮像装置においては、フォーカシングやズーミングのため、レンズ鏡筒を移動させる機能が備えられている。そして、レンズ鏡筒を移動させるための手段として、形状記憶合金を使用することで、省スペース化を図った撮像装置が各種提案されている。
【０００３】
例えば特許文献１には、撮像レンズを効率よく移動でき、携帯端末に内蔵するのに好適なレンズ鏡胴及びこのレンズ鏡胴を備えた撮像装置が記載されている。
【０００４】
このレンズ鏡胴は、図１０に示すように、撮像素子１０１を実装した基板１０２が筒状の地板（カバー）１０３の下面に固定され、被写体の光学像を撮像素子１０１に結像させる撮像レンズ１０４を保持する第１鏡枠（レンズホルダ）１０５とこの第１鏡枠１０５の外側に嵌める第２鏡枠（アウタホルダ）１０６とが地板１０３内に収納され、紐状に形成された形状記憶合金１０７が撮像レンズ１０４の光路Ｏを横切るように配置されている。
【０００５】
そして、このレンズ鏡筒は、通電によって形状記憶合金１０７を収縮させることで、第２鏡枠１０６を被写体側に移動するようにされている。したがって、このレンズ鏡筒は、形状記憶合金１０７が第２鏡枠１０６を効率よく移動させることにより、小型・薄型の携帯端末に好適に内蔵することができる。
【０００６】
なお、第１鏡枠１０５と第２鏡枠１０６とは、螺合され、第１鏡枠１０５を回転させることで、撮像レンズ１０４が光軸の方向に移動し、撮像素子１０１に対してピント調整することができるようにされている。
【先行技術文献】
【特許文献】
【０００７】
【特許文献１】特開２００７−７８９５４号公報
【発明の概要】
【発明が解決しようとする課題】
【０００８】
特許文献１に記載されたレンズ鏡筒を製造するには、第１鏡枠１０５を保持して回転させるペンチの様な回転工具が使用される。しかし、レンズ鏡筒が非常に小型化されている上に、第１鏡枠１０５が地板１０３の表面よりも奥まった位置に収納されていることから、前記工具を第１鏡枠１０５に当てて鏡枠の位置を調整しにくいだけでなく、前記回転工具が撮像レンズ１０４、第１鏡枠１０５、蓋部材１０８の開口部１０８ａなどに当たってしまい、撮像レンズ１０４、第１鏡枠１０５、蓋部材１０８の開口部１０８ａなどを傷付けることがある。
【０００９】
そこで、レンズホルダを容易に回転させることができ、また、レンズなどを傷付けることがないようにした撮像装置及びこの撮像装置を備えた携帯電子機器を提供することを課題とする。
【課題を解決するための手段】
【００１０】
請求項１に記載された撮像装置は、被写体の光学像を撮像素子に集光させるレンズと、該レンズを収容し、かつ、被写体側の天面の中央部に透光部を有するキャップ状のレンズホルダと、そのレンズホルダと係合し該レンズホルダを回転させることにより光軸方向に移動可能にしたアウタホルダと、前記レンズホルダの前記天面を露出させる開口部を設け、かつ、前記レンズホルダ及び前記アウタホルダを包囲するカバーとが備えられた撮像装置であって、前記レンズホルダの前記天面には、前記レンズホルダを回転させるための保持部としての凹部及び／又は凸部が複数設けられ、かつ、少なくとも前記保持部が前記カバーの開口部から露出するとともに前記カバーの開口部よりも奥側にある前記撮像素子側に配置されていることを特徴としている。
【００１１】
この撮像装置によれば、ペンチの様な回転工具の被保持部としての凸部及び／又は凹部がレンズホルダの天面の表面に設けられた保持部としての凹部及び／又は凸部に係止して、レンズホルダを回転させることで、レンズホルダを進退させることができ、また、回転工具がレンズホルダから外れてレンズなどに衝突することがないようにすることができる。そして、レンズホルダの天面がカバーの開口部よりも奥側に位置しているので、撮像装置が落下しても、衝撃力がレンズホルダに加えられず、レンズが撮像素子の受光部に対して位置ずれせず、初期の状態で集光させることができる。
【００１２】
また、請求項２に記載された撮像装置は、被写体の光学像を撮像素子に集光させるレンズと、該レンズを収容し、かつ、被写体側の天面の中央部に透光部を有するキャップ状のレンズホルダと、そのレンズホルダと係合し該レンズホルダを回転させることにより光軸方向に移動可能にしたアウタホルダと、前記レンズホルダの前記天面を露出させる開口部を設け、かつ、前記レンズホルダ及び前記アウタホルダを包囲するカバーと、前記アウタホルダとカバーとの間に配置される筒状のフレームと、該フレームの先端部に固定され、前記アウタホルダを弾性的に支持する支持部材と、前記レンズホルダ及びアウタホルダを前記フレームに対して光軸方向に進退させるアクチュエータとが備えられた撮像装置であって、前記レンズホルダの前記天面には、前記レンズホルダを回転させるための保持部としての凹部及び／又は凸部が複数設けられ、かつ、少なくとも前記保持部が前記カバーの開口部から露出するとともに前記カバーの開口部よりも奥側にある前記撮像素子側に配置されていることを特徴としている。
【００１３】
この撮像装置によれば、オートフォーカスの機能が備えられていても、回転工具の被保持部としての凸部及び／又は凹部がレンズホルダの天面の表面に設けられた保持部としての凹部及び／又は凸部に係止して、レンズホルダを回転して進退させることができる。回転工具の凸部及び／又は凹部の被保持部がレンズホルダの凹部及び／又は凸部の保持部に係止することで、回転工具がずれることなくレンズホルダを回転させることができ、また、回転工具がレンズホルダから外れてレンズなどに当たることがないようにすることができる。そして、レンズホルダの天面がカバーの開口部よりも奥側に位置しているので、撮像装置が落下しても、衝撃力がレンズホルダに加えられず、レンズが撮像素子の受光部に対して位置ずれしないことから、初期の状態で集光させることができる。
【００１４】
なお、この撮像装置は、アウタホルダとカバーとの間に配置される筒状のフレームと、該フレームの先端部に固定され、アウタホルダを光軸方向に弾性的に支持する支持部材と、レンズホルダ及びアウタホルダを前記フレームに対して光軸方向に進退させるアクチュエータとによって、オートフォーカスの機能を備えている。
【００１５】
また、請求項３に記載された撮像装置は、請求項１又は請求項２に記載された撮像装置において、前記レンズホルダの外周に雄ネジが形成され、前記アウタホルダの内周に前記レンズホルダの雄ネジと螺合する雌ネジが形成され、前記複数の凹部及び／又は凸部を円に結んだラインの外径がレンズホルダの雄ネジの谷径及び前記カバーの開口部の内径よりも小さいことを特徴としている。
【００１６】
この撮像装置によれば、複数の凹部及び／又は凸部を円に結んだラインの外径がレンズホルダの雄ネジの谷径及び前記カバーの開口部の内径よりも小さくされていることにより、回転工具をカバーの開口部からレンズホルダの天面の方に容易に入れることができる。
【００１７】
また、請求項４に記載された撮像装置は、請求項３に記載された撮像装置において、前記レンズホルダと前記アウタホルダとが接着又は溶着により固着されていることを特徴としている。
【００１８】
この撮像装置によれば、レンズホルダとアウタホルダとが接着又は溶着により固着されていることにより、撮像装置が落下しても、レンズホルダがアウタホルダに対して位置ずれしないようにすることができる。
【００１９】
また、請求項５に記載された撮像装置は、請求項１又は請求項２に記載された撮像装置において、前記レンズホルダの天面に、回転工具を保持する保持手段が設けられていることを特徴としている。
【００２０】
この撮像装置によれば、回転工具がレンズホルダの天面に設けられた保持手段に保持されるため、開口部からレンズホルダの被写体側の方に入れられた回転工具の被保持部としての凸部及び／又は凹部がレンズホルダの天面に設けられた保持部としての凹部及び／又は凸部に係止しやすくすることができる。
【００２１】
また、請求項６に記載された撮像装置は、請求項１又は請求項２に記載された撮像装置において、前記カバーの被写体側に、回転工具を保持する保持手段が設けられていることを特徴としている。
【００２２】
この撮像装置によれば、回転工具がカバーの被写体側に設けられた保持手段に保持されるため、開口部からレンズホルダの被写体側の方に入れられた回転工具の凸部及び／又は凹部がレンズホルダの天面の凹部及び／又は凸部に係止しやすいものとすることができる。
【００２３】
また、請求項７に記載された撮像装置は、請求項６に記載された撮像装置において、前記保持手段は、前記カバーの開口部であることを特徴としている。
【００２４】
この撮像装置によれば、カバーの開口部が保持手段を兼ねることにより、構成を簡素化することができる。
【００２５】
また、請求項８に記載された撮像装置は、請求項６に記載された撮像装置において、前記カバーは、前記レンズホルダの天面を露出させるように内向きに突出した鍔部が設けられたものであり、前記保持手段は、前記カバーの鍔部に同心状に設けられた凹部及び／又は凸部であることを特徴としている。
【００２６】
この撮像装置によれば、回転工具は、カバーの開口部を覆ってレンズホルダの凹部及び／又は凸部に係止するため、回転工具を操作している作業中に、回転工具とカバーの開口部との間から撮像装置内に塵埃が進入しにくいようにすることができる。
【００２７】
また、請求項９に記載された撮像装置は、請求項２ないし請求項８に記載されたいずれかの撮像装置において、前記アクチュエータは、通電によって熱収縮する形状記憶合金であることを特徴としている。
【００２８】
この撮像装置によれば、アクチュエータが通電によって熱収縮する形状記憶合金であることにより、撮像装置の小型化を図ることができる。なお、形状記憶合金によって構成されるアクチュエータがアウタホルダとフレームとの間に設けられることにより、撮像装置が落下しても、衝撃力がレンズホルダに加えられず、形状記憶合金に永久歪みが発生しないようにすることができる。
【００２９】
また、請求項１０に記載された携帯電子機器は、請求項１ないし請求項９のいずれかの撮像装置が備えられていることを特徴としている。
【００３０】
この携帯電子機器によれば、生産性を向上させた撮像装置が備えられ、また、歩留まりを向上させた撮像装置を備えたものとすることができる。
【発明の効果】
【００３１】
本発明によれば、生産性を向上させた撮像装置が備えられ、また、歩留まりを向上させた撮像装置を提供することができるため、撮像装置及び携帯電子機器のコストダウンを図ることができる。
【図面の簡単な説明】
【００３２】
【図１】本発明に係る撮像装置の第１の実施形態を示す縦断面図
【図２】本発明に係る撮像装置の第１の実施形態を示す平面図
【図３】本発明に係る撮像装置の第１の実施形態を示す縦断面図
【図４】本発明に係る撮像装置の第２の実施形態を示す縦断面図
【図５】本発明に係る撮像装置の第３の実施形態を示す縦断面図
【図６】本発明に係る撮像装置の第３の実施形態を示す平面図
【図７】本発明に係る撮像装置の第４の実施形態を示す縦断面図
【図８】本発明に係る撮像装置の第５の実施形態を示す縦断面図
【図９】（ａ）は、撮像装置が設置される携帯機器を示した図、（ｂ）は、携帯機器の撮像装置設置部を示した図
【図１０】従来の撮像装置（レンズ鏡胴）を示す縦断面図
【発明を実施するための形態】
【００３３】
デジタルスチルカメラやカメラ機能付の携帯電話機のような携帯電子機器に備えられる撮像装置の第１の実施形態について図１ないし図３を参照しながら説明する。
【００３４】
この撮像装置は、撮像素子１を実装した基板２と、被写体の光学像を撮像素子１に集光させる１枚又は複数枚のレンズ３と、このレンズ３を収容したレンズホルダ４と、このレンズホルダ４と係合し、かつ、レンズホルダ４を回転させることにより光軸方向に移動可能にしたアウタホルダ５と、レンズホルダ４及びアウタホルダ５を包囲するカバー６とを備えたものである。
【００３５】
レンズホルダ４は、被写体側の天面４ａの中央部に透光部である開口孔４ｄを有したキャップ状のもので、天面４ａの裏面に、例えばレンズ３の外周部が重なり合い位置決めされている。また、レンズホルダ４の外周に雄ネジ４ｂが形成され、アウタホルダ５の内面に雌ネジ５ａが形成され、両ネジ４ｂ，５ａが螺合するように構成されている。なお、レンズホルダ４の光軸方向の移動を両ネジ４ｂ，５ａの螺合で説明したが、これに限らず、特開２００８−２５０１３４等に記載されているカム機構等を利用してもよい。
【００３６】
また、カバー６は、被写体側に開口部６ａを有するように鍔部６ｂを設けたものであり、この鍔部６ｂの内側、すなわち開口部６ａからレンズ３が露出し、開口部６ａよりも奥側にある撮像素子側にレンズホルダ４の天面４ａが配置されている。
【００３７】
そして、この第１の実施形態の撮像装置は、例えば、オートフォーカスの機能を備えたものであり、アウタホルダ５とカバー６との間に角筒状のフレーム７が配置され、このフレーム７の先端にアウタホルダ５の先端部を弾性的に支持する支持部材８が固定され、レンズホルダ４及びアウタホルダ５をフレーム７に対して光軸方向に進退させるアクチュエータ９を備えたものである。
【００３８】
支持部材８としては、例えば環状の板バネが使用され、弾性によって、レンズ３が基準位置に常時、位置するように構成されている。また、アクチュエータ９は、例えば通電によって熱収縮する直径が１０〜１００μｍのワイヤの形状記憶合金が採用され、一端部がアウタホルダ５の撮像素子１側の基端部に取り付けられ、他端部が被写体側のフレーム７の先端部に取り付けられる。なお、オートフォーカスの応答性の観点から、形状記憶合金の直径は、２７〜４０μｍ程度であることが好ましい。
また、この形状記憶合金が昇温し、長さ方向に収縮すると、支持部材８である前記板バネに対抗して、レンズホルダ４及びアウタホルダ５が被写体側に前進し、形状記憶合金が降温し、長さ方向に伸長すると、支持部材８である前記板バネの付勢力により、レンズホルダ４及びアウタホルダ５が奥側にある撮像素子１側に退入するように構成されている。この構成により、形状記憶合金であるアクチュエータ９がアウタホルダ５とフレーム７との間に位置しているので形状記憶合金が長さ方向に伸縮しても形状記憶合金によりアウタホルダ５又はフレーム７が磨耗して塵埃が発生することがない。
【００３９】
そして、この撮像装置は、図３に示すように、カバー６の開口部６ａからレンズホルダ４の天面４ａの方に入れられる回転工具１０によって、レンズホルダ４を容易に回転させるため、レンズホルダ４の天面４ａの表面に保持部とする複数の凹部４ｃ（図２では４か所）を等間隔に設けたことを特徴としている。そして、凹部４ｃは好ましくは３〜８個がよい。つまり３個未満の場合は回転工具１０の被保持部とする凸部との係合するに要する時間が長くなり、また８個超の場合は保持部の強度が弱くなり凹部４ｃが形成しにくくなるからである。
【００４０】
回転工具１０は、軸部１０ａの先端（図面において下端）に端盤１０ｂが設けられ、この端盤１０ｂに被保持部とする複数の凸部１０ｃを設けたものである。したがって、レンズホルダ４の凹部４ｃは、回転工具１０に設けられた凸部１０ｃを嵌め入れることができる位置及び大きさに設けられる。すなわち、回転工具１０は、軸部１０ａを回転軸として端盤１０ｂ及び凸部１０ｃが回転するため、レンズホルダ４の天面４ａの凹部４ｃは、中心から等距離に設けられる。
【００４１】
また、レンズホルダ４の天面４ａの複数の凹部４ｃを円に結んだラインの外径は、レンズホルダ４の雄ネジ４ｂの谷径及びカバー６の開口部６ａの内径よりも小さくしてある。こうすることにより、回転工具１０を開口部６ａからレンズホルダ４の天面４ａの方に容易に入れることができる。
【００４２】
そして、回転工具１０を保持する保持手段６ｃがカバー６の被写体側に設けられている。この保持手段６ｃは、カバー６の開口部６ａであり、すなわち、鍔部６ｂの開口部６ａ内周面に設けられている。この開口部６ａ内周面が回転工具１０の端盤１０ｂの外周を囲繞する。こうすることにより、回転工具１０の凸部１０ｃがレンズホルダ４の凹部４ｃの方に誘導され、回転工具１０の凸部１０ｃをレンズホルダ４の凹部４ｃに係止しやすいものとなる。
【００４３】
回転工具１０の凸部１０ｃをレンズホルダ４の凹部４ｃに係止しやすいというのは、図示したように、レンズホルダ４に４か所の凹部４ｃが設けられていると、カバー６の開口部６ａからレンズホルダ４の天面４ａの方に誘導された回転工具１０の凸部１０ｃが凹部４ｃに係止しなくても、最大９０°回転させると、係止するからである。
【００４４】
いうまでもなく、回転工具１０の凸部１０ｃが１８０°の角度で２か所だけ設けられ、レンズホルダ４の凹部４ｃも対応して２か所だけ設けられているときは、回転工具１０を最大１８０°回転させることで、回転工具１０の凸部１０ｃをレンズホルダ４の凹部４ｃに係止することができる。
【００４５】
そして、回転工具１０を回転させることで、レンズホルダ４を光軸方向に移動させ、レンズ３を透過した被写体の光学像が撮像素子１に集光できるように位置調整する。このとき、回転工具１０の凸部１０ｃがレンズホルダ４の凹部４ｃに係止していることにより、回転工具１０がずれてレンズ３に衝突するようなことはなく、したがって、塵埃が発生することもない。
【００４６】
また、レンズホルダ４の天面４ａがカバー６の開口部６ａよりも奥側に配置されていることによっても、撮像装置が落下したときに、衝撃力がレンズホルダ４に加えられず、レンズ３が撮像素子１の受光部に対して位置ずれしないことから、初期の状態で集光させることができるものとなっている。
【００４７】
次に、デジタルスチルカメラやカメラ機能付の携帯電話機のような携帯電子機器に備えられる撮像装置の第２の実施形態について図４を参照しながら説明する。なお、図４中の部材において、第１の実施形態を示した図１及び図２の部材と形状が異なっているものの、作用機能が同一であるものについては、同一符合を付して説明する。
【００４８】
この撮像装置も第１の実施形態と同じく、撮像素子１を実装した基板２と、被写体の光学像を撮像素子１に集光させるレンズ３と、このレンズ３を収容したレンズホルダ４と、このレンズホルダ４を光軸方向に移動可能に外嵌したアウタホルダ５と、レンズホルダ４及びアウタホルダ５を包囲するカバー６とが備えられている。
【００４９】
ただし、この撮像装置は、オートフォーカス機能が備えられておらず、そのため、第１の実施形態におけるフレーム７及びアクチュエータ９を備えていない。この撮像装置の他の構成は、第１の実施形態と同じであり、レンズホルダ４の先端に内向きに突出した天面４ａに、回転工具１０の凸部１０ｃを係止する複数の凹部４ｃが等間隔に設けられ、また、カバー６が、被写体側に開口部６ａを有するように鍔部６ｂを設けたものであり、開口部６ａからレンズ３が露出し、開口部６ａよりも奥側にレンズホルダ４の天面４ａが配置される。
【００５０】
回転工具１０も、第１の実施形態で説明したものと同じであり、回転工具１０を回転させることで、レンズホルダ４を光軸方向に移動させ、レンズ３を透過した被写体の光学像が撮像素子１に集光できるように位置調整する。このとき、回転工具１０の凸部１０ｃがレンズホルダ４の凹部４ｃに係止していることにより、回転工具１０がずれてレンズ３に衝突するようなことはなく、したがって、塵埃が発生することもないようにされている。
【００５１】
また、レンズホルダ４の天面４ａがカバー６の開口部６ａよりも奥側に配置されていることによっても、撮像装置が落下したときに、衝撃力がレンズホルダ４に加えられず、レンズ３が撮像素子１の受光部に対して位置ずれしないことから、初期の状態で集光させることができるものとなっている。
【００５２】
次に、デジタルスチルカメラやカメラ機能付の携帯電話機のような携帯電子機器に備えられる撮像装置の第３の実施形態について図５及び図６を参照しながら説明する。なお、図５及び図６中の部材において、第１の実施形態を示した図１及び図２の部材と形状が異なっているものの、作用機能が同一であるものについては、同一符合を付して説明する。
【００５３】
この第３の実施形態の撮像装置は、図５及び図６に示すように、第１の実施形態で説明したオートフォーカス機能を備えたものだけでなく、第２の実施形態で説明したオートフォーカス機能を備えていないものにおいても適用することができる。
【００５４】
第３の実施形態の撮像装置は、位置調整されたレンズホルダ４が、アウタホルダ５と接着剤１１による接着又は溶着によって固着されることを特徴としている。接着剤１１又は溶着によって固着される部位は、図示したような１か所であっても、図示しない複数箇所であってもよい。いずれにしても、レンズホルダ４がアウタホルダ５に固着されることにより、撮像装置が落下しても、レンズホルダ４がアウタホルダ５に対して位置ずれしないようにすることができる。
【００５５】
次に、デジタルスチルカメラやカメラ機能付の携帯電話機のような携帯電子機器に備えられる撮像装置の第４の実施形態について図７を参照しながら説明する。なお、図７中の部材において、第１の実施形態を示した図１及び図２の部材と形状が異なっているものの、作用機能が同一であるものについては、同一符合を付して説明する。
【００５６】
この第４の実施形態の撮像装置は、図７に示すように、第１の実施形態で説明したオートフォーカス機能を備えたものだけでなく、第２の実施形態で説明したオートフォーカス機能を備えていないものにおいても適用することができる。
【００５７】
第４の実施形態の撮像装置は、回転工具１０の保持手段６ｃをカバー６の被写体側に設けたことを特徴としている。この保持手段６ｃは、カバー６の被写体側の最外周に環状の平坦面６ｄを設け、この平坦面６ｄから内側（光軸中心側）に傾斜して立ち上がる傾斜面６ｅが設けられ、更に、この傾斜面６ｅから内側に平坦面６ｆを設けたものである。したがって、回転工具１０は、端盤１０ｂの外周側部に平坦面１０ｄを設け、この平坦面１０ｄから内側に傾斜して窪む傾斜面１０ｅが設けられ、更に、この傾斜面１０ｅから内側に平坦面１０ｆを設けたものである。
【００５８】
保持手段６ｃの傾斜面６ｅと回転工具１０の傾斜面１０ｅとが重なり合うことで、撮像装置の中心と回転工具１０の中心が一致しやすく、回転工具１０の凸部１０ｃをレンズホルダ４の凹部４ｃに係止しやすくすることができる。
【００５９】
なお、この第４の実施形態においては、回転工具１０の端盤１０ｂがカバー６の鍔部６ｂの全面を覆うため、端盤１０ｂの外周部に凸部及び／又は凹部を設け、この凸部及び／又は凹部に係止する凹部及び／又は止物をカバー６の鍔部６ｂに設けることで、保持手段６ｃとしてもよい。
【００６０】
次に、デジタルスチルカメラやカメラ機能付の携帯電話機のような携帯電子機器に備えられる撮像装置の第５の実施形態について図８を参照しながら説明する。なお、図８中の部材において、第１の実施形態を示した図１及び図２の部材と形状が異なっているものの、作用機能が同一であるものについては、同一符合を付して説明する。
【００６１】
この第５の実施形態の撮像装置は、図８に示すように、第１の実施形態で説明したオートフォーカス機能を備えたものだけでなく、第２の実施形態で説明したオートフォーカス機能を備えていないものにおいても適用することができる。
【００６２】
第５の実施形態の撮像装置は、回転工具１０の保持手段６ｃがカバー６の開口部６ａ、すなわち、鍔部６ｂの内周であることを特徴としている。そして、回転工具１０が端盤１０ｂを厚くしたものとしている。
【００６３】
なお、本発明は、前記の第１ないし第５の実施形態に限定することなく、種々変更することができる。
【００６４】
例えば、回転工具１０は、被保持部として複数の凹部を設けたものとし、レンズホルダ４に、回転工具１０の凹部に係止する複数の凸部を保持部として設けたものとしてもよい。更に、回転工具１０は複数の凹部と凸部とを被保持部として設けたものとし、レンズホルダ４に、回転工具１０の凹部と凸部に係止する複数の凸部と凹部を保持部として設けたものとしてもよい。更に、レンズホルダ４の凹部４ｃ又は凸部は、天面４ａでなく、天面４ａの中間でなく、天面４ａの周囲の段差部に設けてもよい。
【００６５】
また、各実施形態において、説明した撮像装置は、図９（ａ）、（ｂ）に示すように携帯電子機器である携帯機器Ｈの撮像装置設置部Ｈ１に設置されている。
【産業上の利用可能性】
【００６６】
本発明に係る撮像装置及び携帯電子機器は、デジタルカメラやカメラ機能付の携帯電話機、その他の小型機器を構成するものとして有効に利用することができる。
【符号の説明】
【００６７】
１  撮像素子
３  レンズ
４  レンズホルダ
４ａ  天面
４ｂ  雄ネジ
４ｃ  凹部（保持部）
４ｄ  開口孔
５  アウタホルダ
５ａ  雌ネジ
６  カバー
６ａ  開口部
６ｂ  鍔部
６ｃ  保持手段
７  フレーム
８  支持部材
９  アクチュエータ
１０  回転工具
１０ｃ  凸部（被保持部）
１１  接着剤
【図１】
2011232588.tif 000003
【図２】
2011232588.tif 000004
【図３】
2011232588.tif 000005
【図４】
2011232588.tif 000006
【図５】
2011232588.tif 000007
【図６】
2011232588.tif 000008
【図７】
2011232588.tif 000009
【図８】
2011232588.tif 000010
【図９】
2011232588.tif 000011
【図１０】
2011232588.tif 000012